【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
有価証券の売買注文に関する処理を実行するコンピュータにより構成された有価証券売買注文システムであって、
市場システムまたはその他の相場情報提供システムから、各銘柄についての複数の市場の相場情報を取得する処理を実行する相場情報取得処理手段と、
この相場情報取得処理手段により取得した前記各銘柄についての前記複数の市場の相場情報を、銘柄識別情報および市場識別情報と関連付けて記憶する相場情報記憶手段と、
投資家による注文銘柄についての銘柄識別情報、並びに売数量または買数量を含む注文データの入力を受け付ける処理を実行する注文受付処理手段と、
この注文受付処理手段により売りの成行注文を受け付けた場合には、
前記注文銘柄についての全ての市場の買気配値のうち、最も高い買気配値Ｊ（１）に対応する各市場の買気配数量を前記相場情報記憶手段から抽出し、抽出した各市場の前記買気配数量を合計して合計買気配数量Ａ（１）を算出し、算出した前記合計買気配数量Ａ（１）と、注文された前記売数量とを比較し、前記合計買気配数量Ａ（１）が前記売数量を超えるか否かを判断し、前記合計買気配数量Ａ（１）が前記売数量を超えない場合には、抽出した各市場の前記買気配数量をそれぞれ市場別の発注用の売数量を示す市場別発注用売数量として割り当て、前記合計買気配数量Ａ（１）が前記売数量を超える場合には、予め定められた固定優先順位または予め定められた順位決定方法で定まる変動優先順位の高い市場の前記買気配数量から順に、前記買気配数量の合計が前記売数量と一致するまで、抽出した各市場の前記買気配数量をそれぞれ前記市場別発注用売数量として割り当てる第１次分割処理を実行し、
さらに、前記第１次分割処理で前記合計買気配数量Ａ（１）が前記売数量を超えないと判断された場合に、Ｎを２以上の整数としたとき、前記注文銘柄についての全ての市場の買気配値のうち、Ｎ番目に高い買気配値Ｊ（Ｎ）に対応する各市場の買気配数量を前記相場情報記憶手段から抽出し、抽出した各市場の前記買気配数量を合計して合計買気配数量Ａ（Ｎ）を算出し、算出した前記合計買気配数量Ａ（Ｎ）を、Ａ（１）からＡ（Ｎ−１）までの合計買気配数量の総計値Ｓ（Ｎ−１）に加算してＡ（１）からＡ（Ｎ）までの合計買気配数量の総計値Ｓ（Ｎ）を算出し、算出した前記合計買気配数量の総計値Ｓ（Ｎ）と、注文された前記売数量とを比較し、前記合計買気配数量の総計値Ｓ（Ｎ）が前記売数量を超えるか否かを判断し、前記合計買気配数量の総計値Ｓ（Ｎ）が前記売数量を超えない場合には、抽出した各市場の前記買気配数量をそれぞれ前記市場別発注用売数量に加算して割り当て、前記合計買気配数量の総計値Ｓ（Ｎ）が前記売数量を超える場合には、前記固定優先順位または前記変動優先順位の高い市場の前記買気配数量から順に、前記買気配数量の合計と前記合計買気配数量の総計値Ｓ（Ｎ−１）との和が前記売数量と一致するまで、抽出した各市場の前記買気配数量をそれぞれ前記市場別発注用売数量に加算して割り当てる第Ｎ次分割処理を、前記合計買気配数量の総計値Ｓ（Ｎ）が前記売数量を超えると判断されるまでＮを１ずつ増しながら繰り返し実行し、
前記注文受付処理手段により買いの成行注文を受け付けた場合には、
前記注文銘柄についての全ての市場の売気配値のうち、最も安い売気配値Ｋ（１）に対応する各市場の売気配数量を前記相場情報記憶手段から抽出し、抽出した各市場の売気配数量を合計して合計売気配数量Ｂ（１）を算出し、算出した前記合計売気配数量Ｂ（１）と、注文された買数量とを比較し、前記合計売気配数量Ｂ（１）が前記買数量を超えるか否かを判断し、前記合計売気配数量Ｂ（１）が前記買数量を超えない場合には、抽出した各市場の前記売気配数量をそれぞれ市場別の発注用の買数量を示す市場別発注用買数量として割り当て、前記合計売気配数量Ｂ（１）が前記買数量を超える場合には、前記固定優先順位または前記変動優先順位の高い市場の前記売気配数量から順に、前記売気配数量の合計が前記買数量と一致するまで、抽出した各市場の前記売気配数量をそれぞれ前記市場別発注用買数量として割り当てる第１次分割処理を実行し、
さらに、前記第１次分割処理で前記合計売気配数量Ｂ（１）が前記買数量を超えないと判断された場合に、Ｎを２以上の整数としたとき、前記注文銘柄についての全ての市場の売気配値のうち、Ｎ番目に安い売気配値Ｋ（Ｎ）に対応する各市場の売気配数量を前記相場情報記憶手段から抽出し、抽出した各市場の売気配数量を合計して合計売気配数量Ｂ（Ｎ）を算出し、算出した合計売気配数量Ｂ（Ｎ）を、Ｂ（１）からＢ（Ｎ−１）までの合計売気配数量の総計値Ｔ（Ｎ−１）に加算してＢ（１）からＢ（Ｎ）までの合計売気配数量の総計値Ｔ（Ｎ）を算出し、算出した前記合計売気配数量の総計値Ｔ（Ｎ）と、注文された前記買数量とを比較し、前記合計売気配数量の総計値Ｔ（Ｎ）が前記買数量を超えるか否かを判断し、前記合計売気配数量の総計値Ｔ（Ｎ）が前記買数量を超えない場合には、抽出した各市場の前記売気配数量をそれぞれ前記市場別発注用買数量に加算して割り当て、前記合計売気配数量の総計値Ｔ（Ｎ）が前記買数量を超える場合には、前記固定優先順位または前記変動優先順位の高い市場の前記売気配数量から順に、前記売気配数量の合計と前記合計売気配数量の総計値Ｔ（Ｎ−１）との和が前記買数量と一致するまで、抽出した各市場の前記売気配数量をそれぞれ前記市場別発注用買数量に加算して割り当てる第Ｎ次分割処理を、前記合計売気配数量の総計値Ｔ（Ｎ）が前記買数量を超えると判断されるまでＮを１ずつ増しながら繰り返し実行する分割処理手段と、
前記注文受付処理手段により受け付けた前記銘柄識別情報、並びに前記分割処理手段により得られた前記市場別発注用売数量または前記市場別発注用買数量を含む各市場への発注データを作成する処理を実行する発注データ作成処理手段と
を備えたことを特徴とする有価証券売買注文システム。
【請求項２】
有価証券の売買注文に関する処理を実行するコンピュータにより構成された有価証券売買注文システムであって、
市場システムまたはその他の相場情報提供システムから、各銘柄についての複数の市場の相場情報を取得する処理を実行する相場情報取得処理手段と、
この相場情報取得処理手段により取得した前記各銘柄についての前記複数の市場の相場情報を、銘柄識別情報および市場識別情報と関連付けて記憶する相場情報記憶手段と、
投資家による注文銘柄についての銘柄識別情報、売数量または買数量、並びに指値を含む注文データの入力を受け付ける処理を実行する注文受付処理手段と、
この注文受付処理手段により売りの指値注文を受け付けた場合には、
前記注文銘柄についての全ての市場の買気配値のうち、前記注文受付処理手段により受け付けた前記指値以上であって、かつ、最も高い買気配値Ｊ（１）に対応する各市場の買気配数量を前記相場情報記憶手段から抽出し、抽出した各市場の前記買気配数量を合計して合計買気配数量Ａ（１）を算出し、算出した前記合計買気配数量Ａ（１）と、注文された前記売数量とを比較し、前記合計買気配数量Ａ（１）が前記売数量を超えるか否かを判断し、前記合計買気配数量Ａ（１）が前記売数量を超えない場合には、抽出した各市場の前記買気配数量をそれぞれ市場別の発注用の売数量を示す市場別発注用売数量として割り当て、前記合計買気配数量Ａ（１）が前記売数量を超える場合には、予め定められた固定優先順位または予め定められた順位決定方法で定まる変動優先順位の高い市場の前記買気配数量から順に、前記買気配数量の合計が前記売数量と一致するまで、抽出した各市場の前記買気配数量をそれぞれ前記市場別発注用売数量として割り当て、前記相場情報記憶手段に前記注文受付処理手段により受け付けた前記指値以上の前記注文銘柄についての前記買気配値が記憶されていない場合には、前記注文受付処理手段により受け付けた前記売数量の全部を、前記固定優先順位、前記変動優先順位、または前記順位決定方法とは異なる別順位決定方法で定まる別変動優先順位の最も高い市場についての前記市場別発注用売数量として割り当てる第１次分割処理を実行し、
さらに、前記第１次分割処理で前記合計買気配数量Ａ（１）が前記売数量を超えないと判断された場合に、Ｎを２以上の整数としたとき、前記注文銘柄についての全ての市場の買気配値のうちＮ番目に高い買気配値Ｊ（Ｎ）が、前記注文受付処理手段により受け付けた前記指値以上であるか否かを判断し、前記指値以上である場合には、前記Ｎ番目に高い買気配値Ｊ（Ｎ）に対応する各市場の買気配数量を前記相場情報記憶手段から抽出し、抽出した各市場の前記買気配数量を合計して合計買気配数量Ａ（Ｎ）を算出し、算出した前記合計買気配数量Ａ（Ｎ）を、Ａ（１）からＡ（Ｎ−１）までの合計買気配数量の総計値Ｓ（Ｎ−１）に加算してＡ（１）からＡ（Ｎ）までの合計買気配数量の総計値Ｓ（Ｎ）を算出し、算出した前記合計買気配数量の総計値Ｓ（Ｎ）と、注文された前記売数量とを比較し、前記合計買気配数量の総計値Ｓ（Ｎ）が前記売数量を超えるか否かを判断し、前記合計買気配数量の総計値Ｓ（Ｎ）が前記売数量を超えない場合には、抽出した各市場の前記買気配数量をそれぞれ前記市場別発注用売数量に加算して割り当て、前記合計買気配数量の総計値Ｓ（Ｎ）が前記売数量を超える場合には、前記固定優先順位または前記変動優先順位の高い市場の前記買気配数量から順に、前記買気配数量の合計と前記合計買気配数量の総計値Ｓ（Ｎ−１）との和が前記売数量と一致するまで、抽出した各市場の前記買気配数量をそれぞれ前記市場別発注用売数量に加算して割り当て、前記Ｎ番目に高い買気配値Ｊ（Ｎ）が前記注文受付処理手段により受け付けた前記指値以上ではない場合には、前記売数量から前記合計買気配数量の総計値Ｓ（Ｎ−１）を減じた数量を、前記固定優先順位、前記変動優先順位、または前記別変動優先順位の最も高い市場についての前記市場別発注用売数量に加算して割り当てる第Ｎ次分割処理を、前記合計買気配数量の総計値Ｓ（Ｎ）が前記売数量を超えると判断されるか、または前記Ｎ番目に高い買気配値Ｊ（Ｎ）が前記注文受付処理手段により受け付けた前記指値以上ではないと判断されるまでＮを１ずつ増しながら繰り返し実行し、
前記注文受付処理手段により買いの指値注文を受け付けた場合には、
前記注文銘柄についての全ての市場の売気配値のうち、前記注文受付処理手段により受け付けた前記指値以下であって、かつ、最も安い売気配値Ｋ（１）に対応する各市場の売気配数量を前記相場情報記憶手段から抽出し、抽出した各市場の売気配数量を合計して合計売気配数量Ｂ（１）を算出し、算出した前記合計売気配数量Ｂ（１）と、注文された買数量とを比較し、前記合計売気配数量Ｂ（１）が前記買数量を超えるか否かを判断し、前記合計売気配数量Ｂ（１）が前記買数量を超えない場合には、抽出した各市場の前記売気配数量をそれぞれ市場別の発注用の買数量を示す市場別発注用買数量として割り当て、前記合計売気配数量Ｂ（１）が前記買数量を超える場合には、前記固定優先順位または前記変動優先順位の高い市場の前記売気配数量から順に、前記売気配数量の合計が前記買数量と一致するまで、抽出した各市場の前記売気配数量をそれぞれ前記市場別発注用買数量として割り当て、前記相場情報記憶手段に前記注文受付処理手段により受け付けた前記指値以下の前記注文銘柄についての前記売気配値が記憶されていない場合には、前記注文受付処理手段により受け付けた前記買数量の全部を、前記固定優先順位、前記変動優先順位、または前記別変動優先順位の最も高い市場についての前記市場別発注用買数量として割り当てる第１次分割処理を実行し、
さらに、前記第１次分割処理で前記合計売気配数量Ｂ（１）が前記買数量を超えないと判断された場合に、Ｎを２以上の整数としたとき、前記注文銘柄についての全ての市場の売気配値のうちＮ番目に安い売気配値Ｋ（Ｎ）が、前記注文受付処理手段により受け付けた前記指値以下であるか否かを判断し、前記指値以下である場合には、前記Ｎ番目に安い売気配値Ｋ（Ｎ）に対応する各市場の売気配数量を前記相場情報記憶手段から抽出し、抽出した各市場の売気配数量を合計して合計売気配数量Ｂ（Ｎ）を算出し、算出した合計売気配数量Ｂ（Ｎ）を、Ｂ（１）からＢ（Ｎ−１）までの合計売気配数量の総計値Ｔ（Ｎ−１）に加算してＢ（１）からＢ（Ｎ）までの合計売気配数量の総計値Ｔ（Ｎ）を算出し、算出した前記合計売気配数量の総計値Ｔ（Ｎ）と、注文された前記買数量とを比較し、前記合計売気配数量の総計値Ｔ（Ｎ）が前記買数量を超えるか否かを判断し、前記合計売気配数量の総計値Ｔ（Ｎ）が前記買数量を超えない場合には、抽出した各市場の前記売気配数量をそれぞれ前記市場別発注用買数量に加算して割り当て、前記合計売気配数量の総計値Ｔ（Ｎ）が前記買数量を超える場合には、前記固定優先順位または前記変動優先順位の高い市場の前記売気配数量から順に、前記売気配数量の合計と前記合計売気配数量の総計値Ｔ（Ｎ−１）との和が前記買数量と一致するまで、抽出した各市場の前記売気配数量をそれぞれ前記市場別発注用買数量に加算して割り当て、前記Ｎ番目に安い売気配値Ｋ（Ｎ）が前記注文受付処理手段により受け付けた前記指値以下ではない場合には、前記買数量から前記合計売気配数量の総計値Ｔ（Ｎ−１）を減じた数量を、前記固定優先順位、前記変動優先順位、または前記別変動優先順位の最も高い市場についての前記市場別発注用買数量に加算して割り当てる第Ｎ次分割処理を、前記合計売気配数量の総計値Ｔ（Ｎ）が前記買数量を超えると判断されるか、または前記Ｎ番目に安い売気配値Ｋ（Ｎ）が前記注文受付処理手段により受け付けた前記指値以下ではないと判断されるまでＮを１ずつ増しながら繰り返し実行する分割処理手段と、
前記注文受付処理手段により受け付けた前記銘柄識別情報、前記分割処理手段により得られた前記市場別発注用売数量または前記市場別発注用買数量、並びに前記注文受付処理手段により受け付けた前記指値を含む各市場への発注データを作成する処理を実行する発注データ作成処理手段と
を備えたことを特徴とする有価証券売買注文システム。
【請求項３】
各市場の取引量若しくはその大小の順位を前記市場識別情報と関連付けて記憶するか、または各市場の銘柄毎の取引量若しくはその大小の順位を前記市場識別情報および前記銘柄識別情報と関連付けて記憶する取引量記憶手段を備え、
前記分割処理手段は、
前記注文受付処理手段により売りの成行注文を受け付けた場合には、
前記第１次分割処理での前記合計買気配数量Ａ（１）が前記売数量を超える場合の処理として、および、Ｎを２以上の整数としたとき、前記第Ｎ次分割処理での前記合計買気配数量の総計値Ｓ（Ｎ）が前記売数量を超える場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記変動優先順位を決定する処理を実行し、
前記注文受付処理手段により買いの成行注文を受け付けた場合には、
前記第１次分割処理での前記合計売気配数量Ｂ（１）が前記買数量を超える場合の処理として、および、Ｎを２以上の整数としたとき、前記第Ｎ次分割処理での前記合計売気配数量の総計値Ｔ（Ｎ）が前記買数量を超える場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記変動優先順位を決定する処理を実行する構成とされている
ことを特徴とする請求項１に記載の有価証券売買注文システム。
【請求項４】
各市場の取引量若しくはその大小の順位を前記市場識別情報と関連付けて記憶するか、または各市場の銘柄毎の取引量若しくはその大小の順位を前記市場識別情報および前記銘柄識別情報と関連付けて記憶する取引量記憶手段を備え、
前記分割処理手段は、
前記注文受付処理手段により売りの成行注文を受け付けた場合には、
前記第１次分割処理での前記合計買気配数量Ａ（１）が前記売数量を超える場合の処理として、および、前記第１次分割処理での前記相場情報記憶手段に前記注文受付処理手段により受け付けた前記指値以上の前記注文銘柄についての前記買気配値が記憶されていない場合の処理として、並びに、Ｎを２以上の整数としたとき、前記第Ｎ次分割処理での前記合計買気配数量の総計値Ｓ（Ｎ）が前記売数量を超える場合の処理として、および、前記第Ｎ次分割処理での前記Ｎ番目に高い買気配値Ｊ（Ｎ）が前記注文受付処理手段により受け付けた前記指値以上ではない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記変動優先順位を決定する処理を実行し、
前記注文受付処理手段により買いの成行注文を受け付けた場合には、
前記第１次分割処理での前記合計売気配数量Ｂ（１）が前記買数量を超える場合の処理として、および、前記第１次分割処理での前記相場情報記憶手段に前記注文受付処理手段により受け付けた前記指値以下の前記注文銘柄についての前記売気配値が記憶されていない場合の処理として、並びに、Ｎを２以上の整数としたとき、前記第Ｎ次分割処理での前記合計売気配数量の総計値Ｔ（Ｎ）が前記買数量を超える場合の処理として、および、前記第Ｎ次分割処理での前記Ｎ番目に安い売気配値Ｋ（Ｎ）が前記注文受付処理手段により受け付けた前記指値以下ではない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記変動優先順位を決定する処理を実行する構成とされている
ことを特徴とする請求項２に記載の有価証券売買注文システム。
【請求項５】
前記分割処理手段は、
前記注文受付処理手段により売りの成行注文を受け付けた場合には、
前記第１次分割処理での前記合計買気配数量Ａ（１）が前記売数量を超える場合の処理として、
前記最も高い買気配値Ｊ（１）に対応する各市場の前記買気配数量を比較し、前記買気配数量の多い順に、前記各市場の前記変動優先順位を決定する処理を実行し、
Ｎを２以上の整数としたとき、前記第Ｎ次分割処理での前記合計買気配数量の総計値Ｓ（Ｎ）が前記売数量を超える場合の処理として、
前記Ｎ番目に高い買気配値Ｊ（Ｎ）に対応する各市場の前記買気配数量を比較し、前記買気配数量の多い順に、前記各市場の前記変動優先順位を決定する処理を実行し、
前記注文受付処理手段により買いの成行注文を受け付けた場合には、
前記第１次分割処理での前記合計売気配数量Ｂ（１）が前記買数量を超える場合の処理として、
前記最も安い売気配値Ｋ（１）に対応する各市場の前記売気配数量を比較し、前記売気配数量の多い順に、前記各市場の前記変動優先順位を決定する処理を実行し、
Ｎを２以上の整数としたとき、前記第Ｎ次分割処理での前記合計売気配数量の総計値Ｔ（Ｎ）が前記買数量を超える場合の処理として、
前記Ｎ番目に安い売気配値Ｋ（Ｎ）に対応する各市場の前記売気配数量を比較し、前記売気配数量の多い順に、前記各市場の前記変動優先順位を決定する処理を実行する構成とされている
ことを特徴とする請求項１に記載の有価証券売買注文システム。
【請求項６】
各市場の取引量若しくはその大小の順位を前記市場識別情報と関連付けて記憶するか、または各市場の銘柄毎の取引量若しくはその大小の順位を前記市場識別情報および前記銘柄識別情報と関連付けて記憶する取引量記憶手段を備え、
前記分割処理手段は、
前記注文受付処理手段により売りの成行注文を受け付けた場合には、
前記第１次分割処理での前記合計買気配数量Ａ（１）が前記売数量を超える場合の処理として、
前記最も高い買気配値Ｊ（１）に対応する各市場の前記買気配数量を比較し、前記買気配数量の多い順に、前記各市場の前記変動優先順位を決定する処理を実行し、
前記第１次分割処理での前記相場情報記憶手段に前記注文受付処理手段により受け付けた前記指値以上の前記注文銘柄についての前記買気配値が記憶されていない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記別変動優先順位を決定する処理を実行し、
Ｎを２以上の整数としたとき、前記第Ｎ次分割処理での前記合計買気配数量の総計値Ｓ（Ｎ）が前記売数量を超える場合の処理として、
前記Ｎ番目に高い買気配値Ｊ（Ｎ）に対応する各市場の前記買気配数量を比較し、前記買気配数量の多い順に、前記各市場の前記変動優先順位を決定する処理を実行し、
前記第Ｎ次分割処理での前記Ｎ番目に高い買気配値Ｊ（Ｎ）が前記注文受付処理手段により受け付けた前記指値以上ではない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記別変動優先順位を決定する処理を実行し、
前記注文受付処理手段により買いの成行注文を受け付けた場合には、
前記第１次分割処理での前記合計売気配数量Ｂ（１）が前記買数量を超える場合の処理として、
前記最も安い売気配値Ｋ（１）に対応する各市場の前記売気配数量を比較し、前記売気配数量の多い順に、前記各市場の前記変動優先順位を決定する処理を実行し、
前記第１次分割処理での前記相場情報記憶手段に前記注文受付処理手段により受け付けた前記指値以下の前記注文銘柄についての前記売気配値が記憶されていない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記別変動優先順位を決定する処理を実行し、
Ｎを２以上の整数としたとき、前記第Ｎ次分割処理での前記合計売気配数量の総計値Ｔ（Ｎ）が前記買数量を超える場合の処理として、
前記Ｎ番目に安い売気配値Ｋ（Ｎ）に対応する各市場の前記売気配数量を比較し、前記売気配数量の多い順に、前記各市場の前記変動優先順位を決定する処理を実行し、
前記第Ｎ次分割処理での前記Ｎ番目に安い売気配値Ｋ（Ｎ）が前記注文受付処理手段により受け付けた前記指値以下ではない場合の処理として、
前記取引量記憶手段に記憶された前記各市場の前記取引量若しくはその大小の順位または前記各市場の前記注文銘柄についての前記取引量若しくはその大小の順位を参照し、前記取引量または前記注文銘柄についての前記取引量が多い順に、前記各市場の前記別変動優先順位を決定する処理を実行する構成とされている
ことを特徴とする請求項２に記載の有価証券売買注文システム。
【請求項７】
前記分割処理手段は、
前記注文受付処理手段により売りの成行注文を受け付けた場合には、
前記第１次分割処理での前記合計買気配数量Ａ（１）が前記売数量を超える場合の処理として、
前記最も高い買気配値Ｊ（１）に対応する各市場の前記買気配数量を比較し、前記買気配数量の多い順に、前記各市場の前記変動優先順位を決定する処理を実行し、
前記第１次分割処理での前記相場情報記憶手段に前記注文受付処理手段により受け付けた前記指値以上の前記注文銘柄についての前記買気配値が記憶されていない場合の処理として、
前記固定優先順位を適用する処理を実行し、
Ｎを２以上の整数としたとき、前記第Ｎ次分割処理での前記合計買気配数量の総計値Ｓ（Ｎ）が前記売数量を超える場合の処理として、
前記Ｎ番目に高い買気配値Ｊ（Ｎ）に対応する各市場の前記買気配数量を比較し、前記買気配数量の多い順に、前記各市場の前記変動優先順位を決定する処理を実行し、
前記第Ｎ次分割処理での前記Ｎ番目に高い買気配値Ｊ（Ｎ）が前記注文受付処理手段により受け付けた前記指値以上ではない場合の処理として、
前記固定優先順位を適用する処理を実行し、
前記注文受付処理手段により買いの成行注文を受け付けた場合には、
前記第１次分割処理での前記合計売気配数量Ｂ（１）が前記買数量を超える場合の処理として、
前記最も安い売気配値Ｋ（１）に対応する各市場の前記売気配数量を比較し、前記売気配数量の多い順に、前記各市場の前記変動優先順位を決定する処理を実行し、
前記第１次分割処理での前記相場情報記憶手段に前記注文受付処理手段により受け付けた前記指値以下の前記注文銘柄についての前記売気配値が記憶されていない場合の処理として、
前記固定優先順位を適用する処理を実行し、
Ｎを２以上の整数としたとき、前記第Ｎ次分割処理での前記合計売気配数量の総計値Ｔ（Ｎ）が前記買数量を超える場合の処理として、
前記Ｎ番目に安い売気配値Ｋ（Ｎ）に対応する各市場の前記売気配数量を比較し、前記売気配数量の多い順に、前記各市場の前記変動優先順位を決定する処理を実行し、
前記第Ｎ次分割処理での前記Ｎ番目に安い売気配値Ｋ（Ｎ）が前記注文受付処理手段により受け付けた前記指値以下ではない場合の処理として、
前記固定優先順位を適用する処理を実行する構成とされている
ことを特徴とする請求項２に記載の有価証券売買注文システム。
【請求項８】
有価証券の売買注文に関する処理を実行するコンピュータにより構成された有価証券売買注文システムであって、
市場システムまたはその他の相場情報提供システムから、各銘柄についての複数の市場の相場情報を取得する処理を実行する相場情報取得処理手段と、
この相場情報取得処理手段により取得した前記各銘柄についての前記複数の市場の相場情報を、銘柄識別情報および市場識別情報と関連付けて記憶する相場情報記憶手段と、
投資家による注文銘柄についての銘柄識別情報、売数量または買数量、並びに指値注文の場合の指値を含む注文データの入力を受け付ける処理を実行する注文受付処理手段と、
この注文受付処理手段により売り注文を受け付けた場合には、
前記注文銘柄についての全ての市場の買気配値のうち、最も高い買気配値から順に、買気配値を下げていきながら、各買気配値に対応する各市場の買気配数量を前記相場情報記憶手段から抽出し、抽出した各市場の前記買気配数量をそれぞれ市場別の発注用の売数量を示す市場別発注用売数量に割り当てて加算していく処理を、割り当てた前記買気配数量の累計値が前記売数量に達するまで繰り返し実行し、
前記注文受付処理手段により買い注文を受け付けた場合には、
前記注文銘柄についての全ての市場の売気配値のうち、最も安い売気配値から順に、売気配値を上げていきながら、各売気配値に対応する各市場の売気配数量を前記相場情報記憶手段から抽出し、抽出した各市場の前記売気配数量をそれぞれ市場別の発注用の買数量を示す市場別発注用買数量に割り当てて加算していく処理を、割り当てた前記売気配数量の累計値が前記買数量に達するまで繰り返し実行する分割処理手段と、
前記注文受付処理手段により受け付けた前記銘柄識別情報、前記分割処理手段により得られた前記市場別発注用売数量または前記市場別発注用買数量、および前記注文受付処理手段により指値注文を受け付けた場合の指値を含む各市場への発注データを作成する処理を実行する発注データ作成処理手段と
を備えたことを特徴とする有価証券売買注文システム。
【請求項９】
有価証券の売買注文に関する処理を実行するコンピュータにより構成された有価証券売買注文システムであって、
投資家による注文銘柄についての銘柄識別情報、売数量または買数量、並びに指値注文の場合の指値を含む注文データの入力を受け付ける処理を実行する注文受付処理手段と、
この注文受付処理手段により受け付けた前記売数量または前記買数量を、前記注文銘柄を取り扱う市場の数で除して均等に分割することにより、各市場への発注数量を算出する処理を実行する分割処理手段と、
前記注文受付処理手段により受け付けた前記銘柄識別情報、前記分割処理手段により算出した前記発注数量、および前記注文受付処理手段により指値注文を受け付けた場合の指値を含む各市場への発注データを作成する処理を実行する発注データ作成処理手段と
を備えたことを特徴とする有価証券売買注文システム。
【請求項１０】
有価証券の売買注文に関する処理を実行するコンピュータにより構成された有価証券売買注文システムであって、
各市場の取引量を前記市場識別情報と関連付けて記憶するか、または各市場の銘柄毎の取引量を前記市場識別情報および前記銘柄識別情報と関連付けて記憶する取引量記憶手段と、
投資家による注文銘柄についての銘柄識別情報、売数量または買数量、並びに指値注文の場合の指値を含む注文データの入力を受け付ける処理を実行する注文受付処理手段と、
この注文受付処理手段により受け付けた前記売数量または前記買数量を、前記取引量記憶手段に記憶された前記各市場の前記取引量または前記各市場の前記注文銘柄についての前記取引量に比例させて配分することにより、各市場への発注数量を算出する処理を実行する分割処理手段と、
前記注文受付処理手段により受け付けた前記銘柄識別情報、前記分割処理手段により算出した前記発注数量、および前記注文受付処理手段により指値注文を受け付けた場合の指値を含む各市場への発注データを作成する処理を実行する発注データ作成処理手段と
を備えたことを特徴とする有価証券売買注文システム。
【請求項１１】
有価証券の売買注文に関する処理を実行するコンピュータにより構成された有価証券売買注文システムであって、
市場システムまたはその他の相場情報提供システムから、各銘柄についての複数の市場の相場情報を取得する処理を実行する相場情報取得処理手段と、
この相場情報取得処理手段により取得した前記各銘柄についての前記複数の市場の相場情報を、銘柄識別情報および市場識別情報と関連付けて記憶する相場情報記憶手段と、
投資家による注文銘柄についての銘柄識別情報、売数量または買数量、並びに指値注文の場合の指値を含む注文データの入力を受け付ける処理を実行する注文受付処理手段と、
この注文受付処理手段により売り注文を受け付けた場合には、前記注文銘柄についての買気配のうち、最も高い買気配値を出している市場を前記相場情報記憶手段より特定して当該市場への発注データを作成し、
前記注文受付処理手段により買い注文を受け付けた場合には、前記注文銘柄についての売気配のうち、最も低い売気配値を出している市場を前記相場情報記憶手段より特定して当該市場への発注データを作成する処理を実行する発注データ作成処理手段と
を備えたことを特徴とする有価証券売買注文システム。
【請求項１２】
有価証券の売買注文に関する処理を実行するコンピュータにより構成された有価証券売買注文システムで実行される有価証券売買注文処理方法であって、
相場情報取得処理手段が、市場システムまたはその他の相場情報提供システムから、各銘柄についての複数の市場の相場情報を取得する処理を実行し、
前記相場情報取得処理手段により取得した前記各銘柄についての前記複数の市場の相場情報を、銘柄識別情報および市場識別情報と関連付けて相場情報記憶手段に記憶させ、
注文受付処理手段が、投資家による注文銘柄についての銘柄識別情報、並びに売数量または買数量を含む注文データの入力を受け付ける処理を実行し、
分割処理手段が、前記注文受付処理手段により売りの成行注文を受け付けた場合には、
前記注文銘柄についての全ての市場の買気配値のうち、最も高い買気配値Ｊ（１）に対応する各市場の買気配数量を前記相場情報記憶手段から抽出し、抽出した各市場の前記買気配数量を合計して合計買気配数量Ａ（１）を算出し、算出した前記合計買気配数量Ａ（１）と、注文された前記売数量とを比較し、前記合計買気配数量Ａ（１）が前記売数量を超えるか否かを判断し、前記合計買気配数量Ａ（１）が前記売数量を超えない場合には、抽出した各市場の前記買気配数量をそれぞれ市場別の発注用の売数量を示す市場別発注用売数量として割り当て、前記合計買気配数量Ａ（１）が前記売数量を超える場合には、予め定められた固定優先順位または予め定められた順位決定方法で定まる変動優先順位の高い市場の前記買気配数量から順に、前記買気配数量の合計が前記売数量と一致するまで、抽出した各市場の前記買気配数量をそれぞれ前記市場別発注用売数量として割り当てる第１次分割処理を実行し、
さらに、前記第１次分割処理で前記合計買気配数量Ａ（１）が前記売数量を超えないと判断された場合に、Ｎを２以上の整数としたとき、前記注文銘柄についての全ての市場の買気配値のうち、Ｎ番目に高い買気配値Ｊ（Ｎ）に対応する各市場の買気配数量を前記相場情報記憶手段から抽出し、抽出した各市場の前記買気配数量を合計して合計買気配数量Ａ（Ｎ）を算出し、算出した前記合計買気配数量Ａ（Ｎ）を、Ａ（１）からＡ（Ｎ−１）までの合計買気配数量の総計値Ｓ（Ｎ−１）に加算してＡ（１）からＡ（Ｎ）までの合計買気配数量の総計値Ｓ（Ｎ）を算出し、算出した前記合計買気配数量の総計値Ｓ（Ｎ）と、注文された前記売数量とを比較し、前記合計買気配数量の総計値Ｓ（Ｎ）が前記売数量を超えるか否かを判断し、前記合計買気配数量の総計値Ｓ（Ｎ）が前記売数量を超えない場合には、抽出した各市場の前記買気配数量をそれぞれ前記市場別発注用売数量に加算して割り当て、前記合計買気配数量の総計値Ｓ（Ｎ）が前記売数量を超える場合には、前記固定優先順位または前記変動優先順位の高い市場の前記買気配数量から順に、前記買気配数量の合計と前記合計買気配数量の総計値Ｓ（Ｎ−１）との和が前記売数量と一致するまで、抽出した各市場の前記買気配数量をそれぞれ前記市場別発注用売数量に加算して割り当てる第Ｎ次分割処理を、前記合計買気配数量の総計値Ｓ（Ｎ）が前記売数量を超えると判断されるまでＮを１ずつ増しながら繰り返し実行し、
前記注文受付処理手段により買いの成行注文を受け付けた場合には、
前記注文銘柄についての全ての市場の売気配値のうち、最も安い売気配値Ｋ（１）に対応する各市場の売気配数量を前記相場情報記憶手段から抽出し、抽出した各市場の売気配数量を合計して合計売気配数量Ｂ（１）を算出し、算出した前記合計売気配数量Ｂ（１）と、注文された買数量とを比較し、前記合計売気配数量Ｂ（１）が前記買数量を超えるか否かを判断し、前記合計売気配数量Ｂ（１）が前記買数量を超えない場合には、抽出した各市場の前記売気配数量をそれぞれ市場別の発注用の買数量を示す市場別発注用買数量として割り当て、前記合計売気配数量Ｂ（１）が前記買数量を超える場合には、前記固定優先順位または前記変動優先順位の高い市場の前記売気配数量から順に、前記売気配数量の合計が前記買数量と一致するまで、抽出した各市場の前記売気配数量をそれぞれ前記市場別発注用買数量として割り当てる第１次分割処理を実行し、
さらに、前記第１次分割処理で前記合計売気配数量Ｂ（１）が前記買数量を超えないと判断された場合に、Ｎを２以上の整数としたとき、前記注文銘柄についての全ての市場の売気配値のうち、Ｎ番目に安い売気配値Ｋ（Ｎ）に対応する各市場の売気配数量を前記相場情報記憶手段から抽出し、抽出した各市場の売気配数量を合計して合計売気配数量Ｂ（Ｎ）を算出し、算出した合計売気配数量Ｂ（Ｎ）を、Ｂ（１）からＢ（Ｎ−１）までの合計売気配数量の総計値Ｔ（Ｎ−１）に加算してＢ（１）からＢ（Ｎ）までの合計売気配数量の総計値Ｔ（Ｎ）を算出し、算出した前記合計売気配数量の総計値Ｔ（Ｎ）と、注文された前記買数量とを比較し、前記合計売気配数量の総計値Ｔ（Ｎ）が前記買数量を超えるか否かを判断し、前記合計売気配数量の総計値Ｔ（Ｎ）が前記買数量を超えない場合には、抽出した各市場の前記売気配数量をそれぞれ前記市場別発注用買数量に加算して割り当て、前記合計売気配数量の総計値Ｔ（Ｎ）が前記買数量を超える場合には、前記固定優先順位または前記変動優先順位の高い市場の前記売気配数量から順に、前記売気配数量の合計と前記合計売気配数量の総計値Ｔ（Ｎ−１）との和が前記買数量と一致するまで、抽出した各市場の前記売気配数量をそれぞれ前記市場別発注用買数量に加算して割り当てる第Ｎ次分割処理を、前記合計売気配数量の総計値Ｔ（Ｎ）が前記買数量を超えると判断されるまでＮを１ずつ増しながら繰り返し実行し、
発注データ作成処理手段が、前記注文受付処理手段により受け付けた前記銘柄識別情報、並びに前記分割処理手段により得られた前記市場別発注用売数量または前記市場別発注用買数量を含む各市場への発注データを作成する処理を実行する
ことを特徴とする有価証券売買注文処理方法。
【請求項１３】
有価証券の売買注文に関する処理を実行するコンピュータにより構成された有価証券売買注文システムで実行される有価証券売買注文処理方法であって、
相場情報取得処理手段が、市場システムまたはその他の相場情報提供システムから、各銘柄についての複数の市場の相場情報を取得する処理を実行し、
前記相場情報取得処理手段により取得した前記各銘柄についての前記複数の市場の相場情報を、銘柄識別情報および市場識別情報と関連付けて相場情報記憶手段に記憶させ、
注文受付処理手段が、投資家による注文銘柄についての銘柄識別情報、売数量または買数量、並びに指値を含む注文データの入力を受け付ける処理を実行し、
分割処理手段が、前記注文受付処理手段により売りの指値注文を受け付けた場合には、
前記注文銘柄についての全ての市場の買気配値のうち、前記注文受付処理手段により受け付けた前記指値以上であって、かつ、最も高い買気配値Ｊ（１）に対応する各市場の買気配数量を前記相場情報記憶手段から抽出し、抽出した各市場の前記買気配数量を合計して合計買気配数量Ａ（１）を算出し、算出した前記合計買気配数量Ａ（１）と、注文された前記売数量とを比較し、前記合計買気配数量Ａ（１）が前記売数量を超えるか否かを判断し、前記合計買気配数量Ａ（１）が前記売数量を超えない場合には、抽出した各市場の前記買気配数量をそれぞれ市場別の発注用の売数量を示す市場別発注用売数量として割り当て、前記合計買気配数量Ａ（１）が前記売数量を超える場合には、予め定められた固定優先順位または予め定められた順位決定方法で定まる変動優先順位の高い市場の前記買気配数量から順に、前記買気配数量の合計が前記売数量と一致するまで、抽出した各市場の前記買気配数量をそれぞれ前記市場別発注用売数量として割り当て、前記相場情報記憶手段に前記注文受付処理手段により受け付けた前記指値以上の前記注文銘柄についての前記買気配値が記憶されていない場合には、前記注文受付処理手段により受け付けた前記売数量の全部を、前記固定優先順位、前記変動優先順位、または前記順位決定方法とは異なる別順位決定方法で定まる別変動優先順位の最も高い市場についての前記市場別発注用売数量として割り当てる第１次分割処理を実行し、
さらに、前記第１次分割処理で前記合計買気配数量Ａ（１）が前記売数量を超えないと判断された場合に、Ｎを２以上の整数としたとき、前記注文銘柄についての全ての市場の買気配値のうちＮ番目に高い買気配値Ｊ（Ｎ）が、前記注文受付処理手段により受け付けた前記指値以上であるか否かを判断し、前記指値以上である場合には、前記Ｎ番目に高い買気配値Ｊ（Ｎ）に対応する各市場の買気配数量を前記相場情報記憶手段から抽出し、抽出した各市場の前記買気配数量を合計して合計買気配数量Ａ（Ｎ）を算出し、算出した前記合計買気配数量Ａ（Ｎ）を、Ａ（１）からＡ（Ｎ−１）までの合計買気配数量の総計値Ｓ（Ｎ−１）に加算してＡ（１）からＡ（Ｎ）までの合計買気配数量の総計値Ｓ（Ｎ）を算出し、算出した前記合計買気配数量の総計値Ｓ（Ｎ）と、注文された前記売数量とを比較し、前記合計買気配数量の総計値Ｓ（Ｎ）が前記売数量を超えるか否かを判断し、前記合計買気配数量の総計値Ｓ（Ｎ）が前記売数量を超えない場合には、抽出した各市場の前記買気配数量をそれぞれ前記市場別発注用売数量に加算して割り当て、前記合計買気配数量の総計値Ｓ（Ｎ）が前記売数量を超える場合には、前記固定優先順位または前記変動優先順位の高い市場の前記買気配数量から順に、前記買気配数量の合計と前記合計買気配数量の総計値Ｓ（Ｎ−１）との和が前記売数量と一致するまで、抽出した各市場の前記買気配数量をそれぞれ前記市場別発注用売数量に加算して割り当て、前記Ｎ番目に高い買気配値Ｊ（Ｎ）が前記注文受付処理手段により受け付けた前記指値以上ではない場合には、前記売数量から前記合計買気配数量の総計値Ｓ（Ｎ−１）を減じた数量を、前記固定優先順位、前記変動優先順位、または前記別変動優先順位の最も高い市場についての前記市場別発注用売数量に加算して割り当てる第Ｎ次分割処理を、前記合計買気配数量の総計値Ｓ（Ｎ）が前記売数量を超えると判断されるか、または前記Ｎ番目に高い買気配値Ｊ（Ｎ）が前記注文受付処理手段により受け付けた前記指値以上ではないと判断されるまでＮを１ずつ増しながら繰り返し実行し、
前記注文受付処理手段により買いの指値注文を受け付けた場合には、
前記注文銘柄についての全ての市場の売気配値のうち、前記注文受付処理手段により受け付けた前記指値以下であって、かつ、最も安い売気配値Ｋ（１）に対応する各市場の売気配数量を前記相場情報記憶手段から抽出し、抽出した各市場の売気配数量を合計して合計売気配数量Ｂ（１）を算出し、算出した前記合計売気配数量Ｂ（１）と、注文された買数量とを比較し、前記合計売気配数量Ｂ（１）が前記買数量を超えるか否かを判断し、前記合計売気配数量Ｂ（１）が前記買数量を超えない場合には、抽出した各市場の前記売気配数量をそれぞれ市場別の発注用の買数量を示す市場別発注用買数量として割り当て、前記合計売気配数量Ｂ（１）が前記買数量を超える場合には、前記固定優先順位または前記変動優先順位の高い市場の前記売気配数量から順に、前記売気配数量の合計が前記買数量と一致するまで、抽出した各市場の前記売気配数量をそれぞれ前記市場別発注用買数量として割り当て、前記相場情報記憶手段に前記注文受付処理手段により受け付けた前記指値以下の前記注文銘柄についての前記売気配値が記憶されていない場合には、前記注文受付処理手段により受け付けた前記買数量の全部を、前記固定優先順位、前記変動優先順位、または前記別変動優先順位の最も高い市場についての前記市場別発注用買数量として割り当てる第１次分割処理を実行し、
さらに、前記第１次分割処理で前記合計売気配数量Ｂ（１）が前記買数量を超えないと判断された場合に、Ｎを２以上の整数としたとき、前記注文銘柄についての全ての市場の売気配値のうちＮ番目に安い売気配値Ｋ（Ｎ）が、前記注文受付処理手段により受け付けた前記指値以下であるか否かを判断し、前記指値以下である場合には、前記Ｎ番目に安い売気配値Ｋ（Ｎ）に対応する各市場の売気配数量を前記相場情報記憶手段から抽出し、抽出した各市場の売気配数量を合計して合計売気配数量Ｂ（Ｎ）を算出し、算出した合計売気配数量Ｂ（Ｎ）を、Ｂ（１）からＢ（Ｎ−１）までの合計売気配数量の総計値Ｔ（Ｎ−１）に加算してＢ（１）からＢ（Ｎ）までの合計売気配数量の総計値Ｔ（Ｎ）を算出し、算出した前記合計売気配数量の総計値Ｔ（Ｎ）と、注文された前記買数量とを比較し、前記合計売気配数量の総計値Ｔ（Ｎ）が前記買数量を超えるか否かを判断し、前記合計売気配数量の総計値Ｔ（Ｎ）が前記買数量を超えない場合には、抽出した各市場の前記売気配数量をそれぞれ前記市場別発注用買数量に加算して割り当て、前記合計売気配数量の総計値Ｔ（Ｎ）が前記買数量を超える場合には、前記固定優先順位または前記変動優先順位の高い市場の前記売気配数量から順に、前記売気配数量の合計と前記合計売気配数量の総計値Ｔ（Ｎ−１）との和が前記買数量と一致するまで、抽出した各市場の前記売気配数量をそれぞれ前記市場別発注用買数量に加算して割り当て、前記Ｎ番目に安い売気配値Ｋ（Ｎ）が前記注文受付処理手段により受け付けた前記指値以下ではない場合には、前記買数量から前記合計売気配数量の総計値Ｔ（Ｎ−１）を減じた数量を、前記固定優先順位、前記変動優先順位、または前記別変動優先順位の最も高い市場についての前記市場別発注用買数量に加算して割り当てる第Ｎ次分割処理を、前記合計売気配数量の総計値Ｔ（Ｎ）が前記買数量を超えると判断されるか、または前記Ｎ番目に安い売気配値Ｋ（Ｎ）が前記注文受付処理手段により受け付けた前記指値以下ではないと判断されるまでＮを１ずつ増しながら繰り返し実行し、
発注データ作成処理手段が、前記注文受付処理手段により受け付けた前記銘柄識別情報、前記分割処理手段により得られた前記市場別発注用売数量または前記市場別発注用買数量、並びに前記注文受付処理手段により受け付けた前記指値を含む各市場への発注データを作成する処理を実行する
ことを特徴とする有価証券売買注文処理方法。
【請求項１４】
有価証券の売買注文に関する処理を実行するコンピュータにより構成された有価証券売買注文システムで実行される有価証券売買注文処理方法であって、
相場情報取得処理手段が、市場システムまたはその他の相場情報提供システムから、各銘柄についての複数の市場の相場情報を取得する処理を実行し、
前記相場情報取得処理手段により取得した前記各銘柄についての前記複数の市場の相場情報を、銘柄識別情報および市場識別情報と関連付けて相場情報記憶手段に記憶させ、
注文受付処理手段が、投資家による注文銘柄についての銘柄識別情報、売数量または買数量、並びに指値注文の場合の指値を含む注文データの入力を受け付ける処理を実行し、
分割処理手段が、前記注文受付処理手段により売り注文を受け付けた場合には、
前記注文銘柄についての全ての市場の買気配値のうち、最も高い買気配値から順に、買気配値を下げていきながら、各買気配値に対応する各市場の買気配数量を前記相場情報記憶手段から抽出し、抽出した各市場の前記買気配数量をそれぞれ市場別の発注用の売数量を示す市場別発注用売数量に割り当てて加算していく処理を、割り当てた前記買気配数量の累計値が前記売数量に達するまで繰り返し実行し、
前記注文受付処理手段により買い注文を受け付けた場合には、
前記注文銘柄についての全ての市場の売気配値のうち、最も安い売気配値から順に、売気配値を上げていきながら、各売気配値に対応する各市場の売気配数量を前記相場情報記憶手段から抽出し、抽出した各市場の前記売気配数量をそれぞれ市場別の発注用の買数量を示す市場別発注用買数量に割り当てて加算していく処理を、割り当てた前記売気配数量の累計値が前記買数量に達するまで繰り返し実行し、
発注データ作成処理手段が、前記注文受付処理手段により受け付けた前記銘柄識別情報、前記分割処理手段により得られた前記市場別発注用売数量または前記市場別発注用買数量、および前記注文受付処理手段により指値注文を受け付けた場合の指値を含む各市場への発注データを作成する処理を実行する
ことを特徴とする有価証券売買注文処理方法。
【請求項１５】
請求項１〜１１のいずれかに記載の有価証券売買注文システムとして、コンピュータを機能させるためのプログラム。